(57)【要約】【課題】バルコニー床の張出長さを長くしても、バルコニー床を確実かつ安定的に支持できるバルコニー床の支持構造を提供する。【解決手段】バルコニー床１には手摺壁１０が固定されており、この手摺壁１０が建物の躯体（外壁４）に固定され、該手摺壁１０によって前記バルコニー床１が上方から吊持されるようにして支持されている。このように手摺壁１０によってバルコニー床１が上方から吊持されるようにして支持されているので、従来に比してバルコニー床１の張出し長さを長くしても、バルコニー床１を確実かつ安定的に支持できる。【選択図】　　　図１
2004100321.tif 000002
【特許請求の範囲】
【請求項１】
建物から外側に張出しているバルコニー床を支持するバルコニー床の支持構造であって、
前記バルコニー床には手摺壁が固定されており、この手摺壁が建物の躯体に固定され、該手摺壁によって前記バルコニー床が上方から吊持されるようにして支持されていることを特徴とするバルコニー床の支持構造。
【請求項２】
請求項１に記載のバルコニー床の支持構造において、
前記手摺壁は、建築用壁パネルによって構成され、この建築用壁パネルの側端部が、建物の躯体にボルト締結によって固定されていることを特徴とするバルコニー床の支持構造。
【請求項３】
建物から外側に張出しているバルコニー床を支持するバルコニー床の支持構造であって、
前記建物の外壁には、この外壁から延出する下屋が固定されており、この下屋に前記バルコニー床が固定され、該下屋によって前記バルコニー床が上方から吊持されるようにして支持されていることを特徴とするバルコニー床の支持構造。
【請求項４】
請求項３に記載のバルコニー床の支持構造において、
前記下屋の一部には、この下屋の上面から下面まで貫通する開口部が形成されていることを特徴とするバルコニー床の支持構造。
【請求項５】
請求項３または４に記載のバルコニー床の支持構造において、
前記バルコニー床には、手摺壁が固定されており、この手摺壁が前記下屋に固定されていることを特徴とするバルコニー床の支持構造。
【発明の詳細な説明】
【０００１】
【発明の属する技術分野】
本発明は、建物から外側に張出しているバルコニー床を支持するバルコニー床の支持構造に関する。
【０００２】
【背景の技術】
近年、住宅の構築については、部材の工場生産化が進み、例えば、壁、床、屋根等のような構成部材を予め工場においてパネルとして製造し、これらのパネルを現場で組み立てることによって住宅を構築する、いわゆるパネル工法が採用されている。ところで、このような工法を用いて外壁から張出してなるバルコニーを形成する場合には、床パネルで構成されたバルコニー床を片持ちとなるように住宅の外壁から張出して躯体に固定する方法が一般に採用されている（例えば、特許文献１参照。）。
【０００３】
【特許文献１】
特開平１１−３６７２３号公報
【０００４】
【発明が解決しようとする課題】
ところで、前記公報に記載の建物においては、張出しているバルコニー床の荷重が、このバルコニー床の基端部に位置する床パネルや壁パネルに集中しやすい。したがって、バルコニー床の張出し長さを長くすると、このバルコニー床の基端部に位置する床パネルや壁パネル等の構成部材において、許容せん断応力や許容曲げモーメントを超えてしまう場合があるので、バルコニー床を片持ち状態で支持するだけでは、バルコニー床の張出し長さを長くするのに限界がある。
【０００５】
本発明は上記事情に鑑みてなされたもので、バルコニー床の張出長さを長くしても、バルコニー床を確実かつ安定的に支持できるバルコニー床の支持構造を提供することを目的としている。
【０００６】
【課題を解決するための手段】
上記目的を達成するために、請求項１に記載の発明は、例えば図１および図２に示すように、建物から外側に張出しているバルコニー床１を支持するバルコニー床の支持構造であって、
前記バルコニー床１には手摺壁１０が固定されており、この手摺壁１０が建物の躯体（外壁４）に固定され、該手摺壁１０によって前記バルコニー床１が上方から吊持されるようにして支持されていることを特徴とする。
【０００７】
請求項１に記載の発明によれば、バルコニー床１に固定された手摺壁１０が、躯体（外壁４）に固定されることによって、該手摺壁１０によってバルコニー床１が上方から吊持されるようにして支持されているので、従来に比してバルコニー床１の張出し長さを長くしても、バルコニー床１を確実かつ安定的に支持できる。
【０００８】
請求項２に記載の発明は、請求項１に記載のバルコニー床の支持構造において、
前記手摺壁１０は、建築用壁パネル１１によって構成され、この建築用壁パネル１１の側端部が、建物の躯体（外壁４）にボルト締結（連結ボルト１２とナット１３）によって固定されていることを特徴とする。
【０００９】
請求項２に記載の発明によれば、建築用壁パネル１１を建物の躯体にボルト締結によって固定したので、この建築用壁パネル１１は躯体に片持ち状態で強固に連結され、この建築用壁パネル１１にバルコニー床１が固定されているので、バルコニー床１をより確実かつ安定的に支持できる。
【００１０】
請求項３に記載の発明は、例えば図３および図４に示すように、建物から外側に張出しているバルコニー床１を支持するバルコニー床の支持構造であって、
前記建物の外壁４には、この外壁４から延出する下屋３０が固定されており、この下屋３０に前記バルコニー床１が固定され、該下屋３０によって前記バルコニー床１が上方から吊持されるようにして支持されていることを特徴とする。
【００１１】
請求項３に記載の発明によれば、外壁４に固定された下屋３０にバルコニー床１が固定されることによって、該下屋３０によってバルコニー床１が上方から吊持されるようにして支持されているので、従来に比してバルコニー床１の張出し長さを長くしても、バルコニー床１を確実かつ安定的に支持できる。
【００１２】
請求項４に記載の発明は、請求項３に記載のバルコニー床の支持構造において、
前記下屋３０の一部には、この下屋３０の上面から下面まで貫通する開口部３０ａが形成されていることを特徴とする。
【００１３】
請求項４に記載の発明によれば、下屋３０に開口部３０ａが形成されているので、この開口部３０ａによって、バルコニーから外部を観ることができるとともに、バルコニーへの採光性や通風性を確保できる。
【００１４】
請求項５に記載の発明は、請求項３または４に記載のバルコニー床の支持構造において、
前記バルコニー床１には、手摺壁２０が固定されており、この手摺壁２０が前記下屋３０に固定されていることを特徴とする。
【００１５】
請求項５に記載の発明によれば、バルコニー床１に固定された手摺壁２０が下屋３０に固定されているので、バルコニー床１は手摺壁２０を介しても下屋３０から吊持されるようにして支持され、よってより安定的にバルコニー床１を支持できる。
【００１６】
【発明の実施の形態】
以下、図面を参照して本発明の実施の形態について説明する。
（第１の実施の形態）
図１および図２は、第１の実施の形態を示す図である。これらの図において符号１はバルコニー床を示す。このバルコニー床１は、複数の建築用床パネル２を並設するとともに、隣り合う建築用床パネル２，２どうしを接合することによって構成されたものである。建築用床パネル２は、框材２ａを矩形枠状に組立て、この矩形枠内に補強桟材を組み付けるとともに、矩形枠の上面に合板等からなる面材２ｂを取り付けたものである。
【００１７】
バルコニー床１を構成する建築用床パネル２の基端部は、図示は省略するが建物内の壁パネルやまぐさ等の上面に設置され、スクリュー釘等によって固定されている。また、床パネル２の長さ方向における中間部は建物の１階の外壁３上に設置されており、この外壁３上には床パネル２を挟んで２階の外壁４が設置されている。外壁３，４はそれぞれ複数の建築用外壁パネル５を並設するとともに、隣り合う建築用外壁パネル５，５どうしを接合することによって構成されたものである。建築用外壁パネル５は框材５ａを矩形枠状に組立て、この矩形枠内に補強桟材を組み付けるとともに、矩形枠の両面に合板等からなる面材５ｂを取り付けたものである。
そして、床パネル２の中間部は、外壁３，４をそれぞれ構成する上下の建築用外壁パネル５，５に挟まれた状態で、連結ボルト６とナット７によって外壁パネル５，５に固定されている。
【００１８】
バルコニー床１の前端縁部と側端縁部とには、手摺壁１０が立設されこの手摺壁１０はバルコニー床１に強固に固定されている。手摺壁１０は、複数の建築用壁パネル１１を並設するとともに隣り合う建築用壁パネル１１，１１どうしを接合することによって構成されたものである。
建築用壁パネル１１は框材１１ａを矩形状に組立て、この矩形枠の両面に合板等からなる面材１１ｂを取り付けたものである。建築用壁パネル１１をバルコニー床１に固定するには、建築用壁パネル１１の下面とバルコニー床１の上面とを接着剤によって接着するとともに、建築用壁パネル１１からバルコニー床１にスクリュー釘を打ち込むことによって行われる。
また、バルコニー床１の前端縁部下面には、垂れ壁１６が固定されている。この垂れ壁１６は、矩形枠とこの矩形枠の両面に取り付けられた合板等からなる面材とで構成されている。この垂れ壁１６と手摺壁１０とは、バルコニー床１を上下に挿通された図示しないボルトとナットによって結合され、これによっても、手摺壁１０がバルコニー床１に強固に固定されている。
【００１９】
手摺壁１０を構成する建築用壁パネル１１のうち、バルコニー床１の側端縁部に固定された建築用壁パネル１１は、建物の躯体を構成する外壁４に固定されている。すなわち、建築用壁パネル１１の側端面は、外壁４を構成する外壁パネル５の表面に当接されており、建築用壁パネル１１の側端面と、外壁４を構成する外壁パネル５の表面とは接着剤によって接着されている。さらに、外壁パネル５には、その上下端部において連結ボルト１２が挿通されており、この連結ボルト１２の一端部は、建築用壁パネル１１内に挿入され、この一端部にはナット１３が螺合されている。一方、連結ボルト１２の他端部は、外壁４と直交して連結された外壁１５に挿入され、この他端部にもナット１３が螺合されている。そして、これらナット１３，１３を締め付けることによって、手摺壁１０を構成する建築用壁パネル１１が外壁４に固定されている。
このようにして、手摺壁１０によってバルコニー床１が上方から吊持されるようにして支持されている。
【００２０】
なお、連結ボルト１２を挿入したり、ナット１３，１３を螺合して締め付けるには、外壁４や外壁１５を構成する建築用壁パネルの面材に穴を開けておき、この穴から連結ボルト１２を挿入したうえで、ナット１３，１３を螺合して締め付ければよい。また、この穴は建築用壁パネルに外装材を取り付けるので、最終的には塞がれる。
【００２１】
本実施の形態の形態によれば、バルコニー床１に固定された手摺壁１０が、躯体を構成する外壁４に固定されることによって、手摺壁１０によってバルコニー床１が上方から吊持されるようにして支持されているので、従来に比してバルコニー床１の張出し長さを長くしても、バルコニー床１を確実かつ安定的に支持できる。
また、手摺壁１０を構成する建築用壁パネル１１を外壁４にボルト締結（連結ボルト１２とナット１３）によって固定したので、この建築用壁パネル１１は外壁４に片持ち状態で強固に連結され、この建築用壁パネル１１にバルコニー床１が固定されているので、バルコニー床１をより確実かつ安定的に支持できる。
【００２２】
（第２の実施の形態）
図３および図４は、第２の実施の形態を示す図である。この第２の実施の形態では、第１の実施の形態と同様のバルコニー床１、外壁３、外壁４を有している。これらバルコニー床１、外壁３、外壁４の構成は、第１の実施の形態のバルコニー床１、外壁３、外壁４とそれぞれ同様であるので、その説明を省略する。
バルコニー床１の前端縁部と側端縁部とには、手摺壁２０が立設されこの手摺壁２０はバルコニー床１に強固に固定されている。手摺壁２０は、複数の建築用壁パネルを並設するとともに、隣り合う建築用壁パネルどうしを接合することによって構成されたものである。
なお、建築用壁パネルは框材を矩形状に組立て、この矩形枠の両面に合板等からなる面材を取り付けたものであり、このような建築用壁パネルをバルコニー床に固定するには、建築用壁パネルの下面とバルコニー床１の上面とを接着剤によって接着するとともに、建築用壁パネルからバルコニー床１にスクリュー釘を打ち込むことによって行われる。
また、手摺壁２０を構成する建築用壁パネルのうち、バルコニー床１の側端縁部に固定された建築用壁パネルは、建物の躯体を構成する外壁４に固定されている。この固定は、建築用壁パネルの側端面と外壁４の表面とを接着剤によって接着するとともに、建築用壁パネルから外壁４にスクリュー釘を打ち込むことによって行われる。
【００２３】
外壁４には、この外壁４から斜め下方に向けて延出する下屋３０が固定されている。この下屋３０は複数の建築用屋根パネル３１，３２を並設することによって構成されたものである。建築用屋根パネル３１は、框材３１ａを矩形枠状に組立て、この矩形枠内に補強桟材を組み付けるとともに、矩形枠の上面に合板等からなる面材３１ｂを取り付けたものである。同様に、建築用屋根パネル３２は、框材を矩形枠状に組立て、この矩形枠内に補強桟材を組み付けるとともに、矩形枠の上面に合板等からなる面材を取り付けたものである。この建築用屋根パネル３２は建築用屋根パネル３１より長さが短いものである。
そして、下屋３０は建築用屋根パネル３１，３１を両側に配置し、これらの間に建築用屋根パネル３２，３２を配置するとともに、建築用屋根パネル３１，３２の軒先を一直線上に合わせ、さらに、隣り合う建築用屋根パネルどうしを接合することによって構成されている。これによって下屋３０の一部、すなわち、下屋３０の幅方向の中央部でかつ下屋３０の基端部側に、下屋３０の上面から下面まで貫通する開口部３０ａが形成されている。
【００２４】
また、下屋３０を構成する建築用屋根パネル３１は以下のようにして外壁４に固定されている。すなわち、外壁４には、断面略三角形状の結合桁３３がスクリュー釘３４を結合桁３３から外壁４に打ち込むことによって固定されている。なお、スクリュー釘３４は結合桁３３の長さ方向に所定間隔で配置されて外壁４に打ち込まれている。
また、外壁４には、断面略三角形状の結合棟木３５がスクリュー釘３４を結合棟木３５から外壁４に打ち込むことによって固定されている。この結合棟木３５は結合桁３３と平行に延在するものであり、結合桁３３の直上において外壁４に固定されている。なお、スクリュー釘３４は結合棟木３５の長さ方向に所定間隔で配置されて外壁４に打ち込まれている。
【００２５】
結合桁３３には、建築用屋根パネル３１の基端部下面が設置されており、結合棟木３５には建築用屋根パネル３１の基端面が当接されている。そして、建築用屋根パネル３１の基端部上面からスクリュー釘３６を結合桁３３に打ち込むことによって、この建築用屋根パネル３１が外壁４に結合桁３３を介して固定されている。
【００２６】
また、前記バルコニー床１の前端縁部には、結合桁３７が釘打ちや接着によって固定されており、この結合桁３７には建築用屋根パネル３１の先端部が支持されるとともに固定されている。また、建築用屋根パネル３１の先端部上面からフック金物３８が打ち込まれ、このフック金物３８の先端部がスクリュー釘３９によってバルコニー床１の先端面に固定されている。このフック金物３８は略Ｕ字状をなすものであり、建築用屋根パネル３１の框材や補強桟材を跨ぐようにして打ち込まれ、先端部がスクリュー釘３９によってバルコニー床１の先端面に固定されている。
また、前記手摺壁２０を構成する建築用壁パネルのうち、バルコニー床１の前端縁部に固定された建築用壁パネル４０の上端面には結合桁４１が固定され、この結合桁４１には建築用屋根パネル３１の中間部が固定されている。さらに、建築用屋根パネル３１の中間部上面からフック金物３８が、建築用屋根パネル３１の框材や補強桟材を跨ぐようにして打ち込まれ、このフック金物３８の先端部がスクリュー釘３９によって建築用壁パネル４０に固定されている。
このようにして、バルコニー床１は、下屋３０によって結合桁３７、結合桁４１、建築用壁パネル４０、フック金物３８等を介して上方から吊持されるようにして支持されている。
【００２７】
本実施の形態によれば、外壁４に固定された下屋３０にバルコニー床１が固定されることによって、該下屋３０によってバルコニー床１が上方から吊持されるようにして支持されているので、従来に比してバルコニー床１の張出し長さを長くしても、バルコニー床を確実かつ安定的に支持できる。
また、下屋３０に開口部３０ａが形成されているので、この開口部３０ａによって、バルコニーから外部を観ることができるとともに、バルコニーへの採光性や通風性を確保できる。
さらに、バルコニー床１に固定された手摺壁２０を構成する建築用壁パネル４０が下屋３０に固定されているので、バルコニー床１は手摺壁２０を介しても下屋３０から吊持されるようにして支持され、よってより安定的にバルコニー床１を支持できる。
【００２８】
なお、本実施の形態では、手摺壁２０を構成する建築用壁パネルのうち、バルコニー床１の側端縁部に固定された建築用壁パネルを、この建築用壁パネルの側端面と外壁４の表面とを接着剤によって接着するとともに、建築用壁パネルから外壁４にスクリュー釘を打ち込むことによって外壁４に固定したが、これに加えてまたはこれに代えて、第１の実施の形態にように、連結ボルト１２とナット１３によるボルト締結によって固定してもよい。このようにすれば、バルコニー床１を、このバルコニー床１の側端縁部に固定された建築用壁パネルによっても上方から吊持するようにして支持できるので、さらに、強固かつ安定的に支持できる。
【００２９】
また、本実施の形態では、建築用屋根パネル３１の基端部上面からスクリュー釘３６を結合桁３３に打ち込むことによって、この建築用屋根パネル３１を外壁４に結合桁３３を介して固定したが、これに加えてまたはこれに代えて、建築用屋根パネルを、ボルト締結によって外壁４に固定しもよい。この場合、建築用屋根パネル３１の基端部と、外壁４を構成する建築用壁パネルとに連結ボルトを挿通し、この連結ボルトの両端部にナットを螺合して締め付ければよい。このようにすれば、下屋３０を外壁４により強固に固定できる。
【００３０】
【発明の効果】
以上説明したように、請求項１に記載の発明によれば、躯体に固定された手摺壁によってバルコニー床が上方から吊持されるようにして支持されているので、従来に比してバルコニー床の張出し長さを長くしても、バルコニー床を確実かつ安定的に支持できる。
【００３１】
請求項２に記載の発明によれば、建築用壁パネルを建物の躯体にボルト締結によって固定したので、バルコニー床をより確実かつ安定的に支持できる。
【００３２】
請求項３に記載の発明によれば、外壁に固定された下屋によってバルコニー床が上方から吊持されるようにして支持されているので、従来に比してバルコニー床の張出し長さを長くしても、バルコニー床を確実かつ安定的に支持できる。
【００３３】
請求項４に記載の発明によれば、下屋に形成された開口部によって、バルコニーから外部を観ることができるとともに、バルコニーへの採光性や通風性を確保できる。
【００３４】
請求項５に記載の発明によれば、バルコニー床が手摺壁を介しても下屋から吊持されるようにして支持され、よってより安定的にバルコニー床を支持できる。
【図面の簡単な説明】
【図１】本発明のバルコニー床の支持構造の一例を示すもので、その側断面図である。
【図２】同、斜視図である。
【図３】本発明のバルコニー床の支持構造の他の例を示すもので、その側断面図である。
【図４】同、斜視図である。
【符号の説明】
１　バルコニー床
４　外壁（躯体）
１０　手摺壁
１１　建築用壁パネル
１２　連結ボルト
１３　ナット
２０　手摺壁
３０　下屋
３０ａ　開口部
３１，３２　建築用屋根パネル
４０　建築用壁パネル
【図１】
2004100321.tif 000003
【図２】
2004100321.tif 000004
【図３】
2004100321.tif 000005
【図４】
2004100321.tif 000006